(57)【要約】【課題】小動物に水分を与えながら好適に運搬することができるバッグを提供する。【解決手段】上面が開口され、犬や猫、その他の小動物を収容可能なバッグ本体２と、バッグ本体２の開口を開閉し得る蓋３とを備え、バッグ本体２、蓋３のうちの少なくともいずれか一方が通気性を有し、バッグ本体２は、底部２１と、底部２１に連設して立ち上げられた側壁２２とから構成され、バッグ本体２の側壁２２には、小動物運搬用バッグ１を持ち運ぶための持ち手４が取り付けられるとともに、小動物に水を供給する給水ボトルＡを収納可能なボトル収納部７が形成され、ボトル収納部７に収納された給水ボトルＡからバッグ本体２内に収容した小動物に水を随時供給する。【選択図】  図１
0003109883.tif 000002
【実用新案登録請求の範囲】
【請求項１】
上面が開口され、犬や猫、その他の小動物（以下「小動物」という。）を収容可能なバッグ本体と、このバッグ本体の開口を開閉し得る蓋とを備え、バッグ本体、蓋のうちの少なくともいずれか一方が通気性を有する小動物運搬用バッグであって、
前記バッグ本体は、底部と、底部に連設して立ち上げられた側壁とから構成され、
前記バッグ本体の側壁には、小動物運搬用バッグを持ち運ぶための持ち手が取り付けられるとともに、小動物に水を供給する給水ボトルを収納可能なボトル収納部が形成され、このボトル収納部に収納された給水ボトルからバッグ本体内に収容した小動物に水を随時供給することを特徴とする小動物運搬用バッグ。
【請求項２】
上面が開口され、犬や猫、その他の小動物（以下「小動物」という。）を収容可能なバッグ本体と、このバッグ本体の開口を開閉し得る蓋とを備え、バッグ本体、蓋のうちの少なくともいずれか一方が通気性を有する小動物運搬用バッグであって、
前記バッグ本体は、底部と、底部に連設して立ち上げられた側壁とから構成され、
前記バッグ本体の側壁には、小動物運搬用バッグを持ち運ぶための持ち手が取り付けられ、
前記バッグ本体の側壁の内面に沿って、小動物に水を供給する給水ボトルを収納可能なボトル収納部と小物を収納する小物収納部とが一体に形成された収納部材が取り付けられ、ボトル収納部に収納された給水ボトルからバッグ本体内に収容した小動物に水を随時供給するとともに、小物収納部に対応するバッグ本体の側壁に、小物収納部とバッグ本体とを貫通する出入口が開閉自在に形成され、小物収納部内の収納物を小動物運搬用バッグの外部から出し入れ可能に構成されたことを特徴とする小動物運搬用バッグ。
【請求項３】
前記蓋は、メッシュ素材で形成され、
前記バッグ本体の底部は、略長方形状に形成されるとともに、側壁は、底部の両長辺にそれぞれ連設して立ち上げられた前面部および背面部と、底部の両短辺にそれぞれ連設して立ち上げられた左右の襠部とから構成され、
前記バッグ本体の左右の襠部のうちの少なくともいずれか一方には、メッシュ素材で形成された窓部が設けられ、
前記襠部に、この窓部を開閉自在に覆うカバー部材が取り付けられるとともに、該窓部が開いた状態になるようにカバー部材を保持する保持手段が設けられたことを特徴とする請求項１または２記載の小動物運搬用バッグ。
【考案の詳細な説明】
【技術分野】
【０００１】
本考案は、犬、猫、その他の小動物（以下「小動物」という。）を運搬するために用いられるバッグに関する。
【背景技術】
【０００２】
小動物は、通常、人が抱きかかえるか、かごやダンボール箱等に入れて運搬している。
【０００３】
しかし、小動物が動き回るために抱きかかえて運搬するのは難しく、また、人は両手を自由に使うことができない。一方、かごやダンボール箱に入れて小動物を運搬する場合は、小動物がかご等から外に飛び出してしまうといった問題があった。
【０００４】
このような問題点を解消するために、犬や猫を収容して運搬することができるショルダーバッグが従来から提案されている（例えば、特許文献１、２参照）。
【０００５】
特許文献１記載のショルダーバッグは、横長篭状袋体の上面の開口部における後縁と前縁にわたりショルダーベルトを備えるとともに、開口部後縁にウェストベルトを備えることにより、人に体力的負担を少なくして、かつ犬や猫に不安や寂しさを与えず、落ち着かせて移動させることを可能にしたものである。
【０００６】
また、特許文献２記載のショルダーバッグは、肩掛けベルトのみでバッグを支えるように構成し、脱着が容易で、装着したまま身体の後ろ側へ移動させれば、行動の邪魔にならないようになされたものである。
【特許文献１】特開２００２−１３６３２１号公報
【特許文献２】特開２００４−８７４２号公報
【考案の開示】
【考案が解決しようとする課題】
【０００７】
ところで、小動物を元気な状態で好適に運搬するためには、運搬中に水分を与えることが望ましい。
【０００８】
しかしながら、上記した特許文献１および２記載のバッグを用いて小動物を運搬する場合、小動物に水分を与えるためには、水を飲むことが可能なところへ連れて行くか、あるいは、ペットボトルなどに入った水を別の容器に注いで、小動物に飲ませる必要があり、煩雑である。
【０００９】
また、運搬中に飼い主などの使用者が小動物の様子を見たり、小動物が外部を見ることができると、使用者は安心することができるとともに、小動物も快適である。
【００１０】
本考案は、上記従来の問題点を解決すべく創案されたもので、運搬中の小動物に水分を与えて、小動物を元気な状態で好適に運搬することができる小動物運搬用バッグを提供することを目的とする。
【課題を解決するための手段】
【００１１】
上記の目的を達成するため、本考案に係る小動物運搬用バッグは、上面が開口され、犬や猫、その他の小動物（以下「小動物」という。）を収容可能なバッグ本体と、このバッグ本体の開口を開閉し得る蓋とを備え、バッグ本体、蓋のうちの少なくともいずれか一方が通気性を有する小動物運搬用バッグであって、前記バッグ本体は、底部と、底部に連設して立ち上げられた側壁とから構成され、前記バッグ本体の側壁には、小動物運搬用バッグを持ち運ぶための持ち手が取り付けられるとともに、小動物に水を供給する給水ボトルを収納可能なボトル収納部が形成され、このボトル収納部に収納された給水ボトルからバッグ本体内に収容した小動物に水を随時供給することを特徴とする。
【００１２】
この考案によれば、小動物運搬用バッグに小動物を収容し、持ち手を掴んで持ち運ぶことができるとともに、ボトル収納部に収納された給水ボトルから、バッグ本体内に収容した小動物に水を随時供給することができる。
【００１３】
したがって、小動物を元気な状態で運搬することができる。
【００１４】
本考案は、上面が開口され、犬や猫、その他の小動物（以下「小動物」という。）を収容可能なバッグ本体と、このバッグ本体の開口を開閉し得る蓋とを備え、バッグ本体、蓋のうちの少なくともいずれか一方が通気性を有する小動物運搬用バッグであって、前記バッグ本体は、底部と、底部に連設して立ち上げられた側壁とから構成され、前記バッグ本体の側壁には、小動物運搬用バッグを持ち運ぶための持ち手が取り付けられ、前記バッグ本体の側壁の内面に沿って、小動物に水を供給する給水ボトルを収納可能なボトル収納部と小物を収納する小物収納部とが一体に形成された収納部材が取り付けられ、ボトル収納部に収納された給水ボトルからバッグ本体内に収容した小動物に水を随時供給するとともに、小物収納部に対応するバッグ本体の側壁に、小物収納部とバッグ本体とを貫通する出入口が開閉自在に形成され、小物収納部内の収納物を小動物運搬用バッグの外部から出し入れ可能に構成されたことを特徴する。
【００１５】
この考案によれば、ボトル収納部に収納された給水ボトルから、バッグ本体内に収容した小動物に水を随時供給することができるとともに、外部から出し入れ可能に小物収納部が設けられているので、バッグ本体に収容された小動物とは別に、財布などの小物や、ペットフードなどを収納して、小動物とともに運搬することができ、便利である。
【００１６】
本考案は、前記蓋は、メッシュ素材で形成され、前記バッグ本体の底部は、略長方形状に形成されるとともに、側壁は、底部の両長辺にそれぞれ連設して立ち上げられた前面部および背面部と、底部の両短辺にそれぞれ連設して立ち上げられた左右の襠部とから構成され、前記バッグ本体の左右の襠部のうちの少なくともいずれか一方には、メッシュ素材で形成された窓部が設けられ、前記襠部に、この窓部を開閉自在に覆うカバー部材が取り付けられるとともに、該窓部が開いた状態になるようにカバー部材を保持する保持手段が設けられたことを特徴とする。
【００１７】
この考案によれば、蓋および窓部がメッシュ素材で形成されているので、通気性が良く、かつ、使用者が小動物の状態を確認しながら運搬することができるとともに、小動物も窓部から外の様子を見ることができる。
【００１８】
したがって、小動物に十分な酸素を供給して元気な状態で運搬することができ、また、使用者も安心することができる。
【００１９】
また、窓部を開閉自在に覆うカバー部材が取り付けられるとともに、該窓部が開いた状態になるようにカバー部材を保持する保持手段が設けられているので、収容した小動物に外の様子を見せたい場合は、カバー部材を窓部が開いた状態で保持することができ、一方、収容した小動物が眠っているような場合には、カバー部材で窓部を覆うことができる。
【００２０】
したがって、小動物を好適に運搬することができる。
【考案の効果】
【００２１】
本考案に係る小動物運搬用バッグによれば、小動物に水分を与えながら好適に運搬することができる。
【考案を実施するための最良の形態】
【００２２】
以下、本考案の実施の形態について図を参照して説明する。
【実施例１】
【００２３】
図１ないし図３には、本考案の小動物運搬用バッグ１の第１実施例が示されている。
【００２４】
本実施例に係る小動物運搬用バッグ１は、上面が開口され、犬や猫などの小動物を収容可能なバッグ本体２と、このバッグ本体２の開口を開閉し得る蓋３とを備えている。
【００２５】
蓋３は、メッシュ素材で形成されており、バッグ本体２の上面開口に取り付けられたファスナーと係合するファスナーが取り付けられて開閉自在とされており、また、蓋３の先端部とこれに対応するバッグ本体２の上面部には互いに係合する面ファスナーＦが取り付けられ、閉蓋状態で保持することができるように図られている。
【００２６】
バッグ本体２の底部２１は略長方形状に形成されるとともに、側壁２２は、底部２１の両長辺にそれぞれ連設して立ち上げられた前面部２ａおよび背面部２ｂと、底部２１の両短辺にそれぞれ連設して立ち上げられた左右の襠部２ｃ，２ｄとから構成されている。
【００２７】
バッグ本体２の前面部２ａおよび背面部２ｂの上端部には、小動物運搬用バッグ１を持ち運ぶための持ち手４が取り付けられている。
【００２８】
また、バッグ本体２の一方の襠部２ｃには、メッシュ素材で形成された窓部５が設けられている。
【００２９】
なお、窓部５は、他方の襠部２ｄに形成してもよく、また双方の襠部２ｃ，２ｄに形成してもよい。
【００３０】
さらに、襠部２ｃには、この窓部５を開閉自在に覆うカバー部材６が取り付けられている。このカバー部材６の長さ方向の略２分の１の位置には、スナップボタン６ｘが取り付けられているとともに、窓部５の上側に位置する襠部２ｃに、このスナップボタン６ｘと係合するスナップボタン２ｘが取り付けられ、カバー部材６を巻き上げて、カバー部材６のスナップボタン６ｘと対応する襠部２ｃのスナップボタン２ｘとを係合することにより、窓部５が開いた状態に保持されるように図られている（図２参照）。
【００３１】
なお、カバー部材６の先端部には、スナップボタン６ｙが取り付けられているとともに、窓部５の下側に位置する襠部２ｃに、このスナップボタン６ｙと係合するスナップボタン２ｙが取り付けられており、カバー部材６を閉じた状態においても、保持することができるように図られている。
【００３２】
さらにまた、前面部２ａの外面側壁には、水を入れた給水ボトルＡを収納可能なボトル収納部７が形成されている。このボトル収納部７は、給水ボトルＡ全体を収納する外袋７ａと、給水ボトルＡを倒立状態で保持する中袋７ｂとからなっており、給水ボトルＡが倒立状態で納まるように図られている（図３参照）。
【００３３】
給水ボトルＡは、図３に示すように、例えば５００ｃｃ程度の容量のペットボトルであって、その開口部には、開閉弁としてのボール部材Ｂが先端に挿入された出水管Ｃが、取り付けられている。したがって、給水ボトルＡに水を入れて倒立させると、水圧によりボール部材Ｂが出水管Ｃの開口を塞いで水の流出が防止され、小動物がボール部材Ｂを舐めたときに、ボール部材ＢがボトルＡ内に若干押し込まれ、水の自重により水が出るようになされている。
【００３４】
また、外袋７ａ、およびこの外袋７ａに対応するバッグ本体２には、給水ボトルＡを倒立状態で収納したときに給水ボトルＡの出水管Ｃの先端がバッグ本体２の内部に位置するように、出水管Ｃを挿通する挿通穴２０が開口されている。
【００３５】
なお、ボトル収納部７は、前面部２ａに限らず、背面部２ｂに形成してもよく、また、側壁２２の外面に限らず、図４に示すように、側壁２２の内面に形成してもよい。
【００３６】
側壁２２の内面にボトル収納部７を形成した場合は、バッグ本体２に挿通穴２０を形成する必要はなく、図４に示すように、外袋７ａにボトルＡの出水管Ｃを挿通する穴７０が開口されていればよい。
【００３７】
次に、上記構成の小動物運搬用バッグ１の使用方法について説明する。
【００３８】
まず、使用者は、バッグ本体２の蓋３を開けておくとともに、給水ボトルＡに水を入れて倒立状態にし、出水管Ｃが挿通穴２０を挿通するようにボトル収納部７に収納して、給水ボトルＡをセットしておく。
【００３９】
次いで、小動物をバッグ本体２の上部開口から入れ、蓋３を閉める。
【００４０】
小動物が起きている状態では、カバー部材６を巻き上げて、スナップボタン６ｘ，２ｘを係合し、窓部５を開けておく。一方、小動物が眠っている場合などでは、カバー部材６で窓部５を覆い、スナップボタン６ｙ，２ｙを係合して窓部５を閉じる。
【００４１】
続いて、使用者は持ち手４を掴んで、手で提げるか、あるいは、持ち手４を腕に通し、肩にかけて、小動物運搬用バッグ１を持ち運ぶ。
【００４２】
小動物運搬用バッグ１に収容された小動物は、水が欲しくなれば、バッグ本体２内部の給水ボトルＡの出水管Ｃの先端のボール部材Ｂを舐めると、給水ボトルＡから水が供給される。
【実施例２】
【００４３】
図５および図６には、本考案の小動物運搬用バッグ１の第２実施例が示されている。
【００４４】
この実施例は、上記した第１実施例における小動物運搬用バッグ１において、ボトル収納部７と小物収納部８とがバッグ本体２の内部に形成されているとともに、小物収納部８に対応するバッグ本体の側壁（本実施例では前面部２ａ）に小動物運搬用バッグ１の外部から小物収納部８に収納する小物の出し入れを可能とするための出入口２ｅが開閉自在に形成されていることのみが異なっている。したがって、異なる構成についてのみ説明し、同一構成についての説明は省略する。
【００４５】
ボトル収納部７と小物収納部８とは、図５、図６に示すように、互いに隣接して一体に形成された収納部材９を構成しており、ボトル収納部７には、第１実施例と同様に形成された外袋７ａと内袋７ｂが備えられている。また、ボトル収納部７の下部には、出水管Ｂを挿通する挿通穴９０が形成されている。
【００４６】
また、小物収納部８のバッグ本体２に当接する側面８ａは開口されており、バッグ本体２の出入口２ｅと通じるようになされている。
【００４７】
このようにしてなる収納部材９は、バッグ本体２の一方の襠部２ｃの内側に着脱自在に取り付けられている。着脱自在に取り付ける手段は、本実施例では、収納部材９とこれに対応する襠部２ｃの内壁に互いに係合するスナップボタンを設けることによるが（図示せず）、スナップボタンに限らず、例えば、面ファスナーであってもよい。
【００４８】
なお、他方の襠部２ｄには、窓部５が設けられ、カバー部材６が取り付けられている。
【００４９】
次に、上記構成の小動物運搬用バッグ１の使用方法について説明する。
【００５０】
まず、使用者は、バッグ本体２の蓋３を開けておくとともに、給水ボトルＡに水を入れて倒立状態にし、出水管Ｃが挿通穴９０を挿通するようにボトル収納部７に収納して、給水ボトルＡをセットしておく。
【００５１】
なお、給水ボトルＡをセットする際には、収納部材９をバッグ本体２から取り外しておき、セット後にバッグ本体２に収納部材９を取り付けると、セットするのが容易になる。
【００５２】
次いで、小動物をバッグ本体２の上部開口から入れ、蓋３を閉める。
【００５３】
小動物が起きている状態では、カバー部材６を巻き上げて、スナップボタン６ｘ，２ｘを係合し、窓部５を開けておく。一方、小動物が眠っている場合などでは、カバー部材６で窓部５を覆い、スナップボタン６ｙ，２ｙを係合して窓部５を閉じる。
【００５４】
続いて、使用者は持ち手４を掴んで、手で提げるか、あるいは、持ち手４を腕に通し、肩にかけて、小動物運搬用バッグ１を持ち運ぶ。
【００５５】
小動物運搬用バッグ１に収容された小動物は、水が欲しくなれば、バッグ本体２内部の給水ボトルＡの出水管Ｃの先端のボール部材Ｂを舐めると、給水ボトルＡから水が供給される。
【００５６】
また、小物収納部８に財布や鍵などの小物や、ペットフードなどを収納しておくと、運搬中にこれら小物を出入口２ｅから出し入れすることが可能であり、使用者は小動物を気にすることなく財布等を出し入れすることができる。
【産業上の利用可能性】
【００５７】
本考案は、小動物に水分を与えながら好適に運搬することができるバッグに適用できる。
【図面の簡単な説明】
【００５８】
【図１】本考案に係る小動物運搬用バッグの第１実施例を示す斜視図である。
【図２】図１に示す小動物運搬用バッグの窓部とカバー部材とを示す模式図である。
【図３】図１に示す小動物運搬用バッグのボトル収納部を示す斜視図である。
【図４】図１に示す小動物運搬用バッグのボトル収納部をバッグ本体内部に形成した例を一部を省略して示す斜視図である。
【図５】本考案に係る小動物運搬用バッグの第２実施例を示す斜視図である。
【図６】図４に示す小動物運搬用バッグのボトル収納部と小物収納部を示す斜視図である。
【符号の説明】
【００５９】
１      小動物運搬用バッグ
２      バッグ本体
２１    底部
２２    側壁
２ａ    前面部
２ｂ    背面部
２ｃ，２ｄ  襠部
２ｅ    出入口
２ｘ    スナップボタン（保持手段）
３      蓋
４      持ち手
５      窓部
６      カバー部材
６ｘ    スナップボタン（保持手段）
７      ボトル収納部
８      小物収納部
９      収納部材
【図１】
0003109883.tif 000003
【図２】
0003109883.tif 000004
【図３】
0003109883.tif 000005
【図４】
0003109883.tif 000006
【図５】
0003109883.tif 000007
【図６】
0003109883.tif 000008